(57)【要約】【課題】耐浸性を有し、停電時点灯可能な照明装置、照明システム、照明ユニット、及び、蓄電池ユニットを提供する。【解決手段】グローブ１１内に耐浸性を保って光源ユニット３０、電源モジュール２１、及び、制御ユニット２２が収容され、端部２０Ａ，２０Ｂからケーブル６１，６２が導出された照明ユニット２０と、筐体５１内に耐浸性を保って蓄電池５５が収容され、端部からケーブル６３が導出された蓄電池ユニット５０と、を備え、各ケーブル６２，６３同士が各ユニット２０，５０の外部で耐浸性を保ってコネクタ４０により連結されている。【選択図】図１
2014116135.tif 000002
【特許請求の範囲】
【請求項１】
グローブ内に耐浸性を保ってＬＥＤ光源、電源基板及び制御ユニットが収容され、端部からケーブルが導出された照明ユニットと、
筐体内に耐浸性を保って蓄電池が収容され、端部からケーブルが導出された蓄電池ユニットと、を備え、
各ケーブル同士が各ユニットの外部で耐浸性を保ってコネクタ連結されていることを特徴とする照明装置。
【請求項２】
前記照明ユニットは、前記グローブ内に電源基板及び制御ユニットが横並びに収容されていることを特徴とする請求項１に記載の照明装置。
【請求項３】
前記ＬＥＤ光源は、前記電源基板及び前記制御ユニットとオーバーラップして前記グローブの中央寄りに配置されていることを特徴とする請求項１又は２に記載の照明装置。
【請求項４】
前記蓄電池はニッケル水素電池であり、前記筐体は通気フィルターを有する開口を備えていることを特徴とする請求項１乃至３の何れか一項に記載の照明装置。
【請求項５】
請求項１乃至４の何れか一項に記載の照明ユニットであって、ＬＥＤ光源が前記グローブの中央寄りに配置された照明ユニットと、
請求項１乃至４の何れか一項に記載のグローブと同一径で、グローブ長が当該グローブよりも短い筒状の短小グローブ内に電源基板及び請求項１乃至４の何れか一項に記載のＬＥＤ光源と光源幅が略等しいＬＥＤ光源が配置された短小照明ユニットと、を備え、
前記照明ユニットと前記短小照明ユニットとが、各ＬＥＤ光源の光源幅を揃えて配置されていることを特徴とする照明システム。
【請求項６】
前記照明ユニット及び前記短小照明ユニットが、各軸線を平行に配置され、前記照明ユニット及び前記短小照明ユニットの各ＬＥＤ光源の幅中心を略一列上に揃えて配置したことを特徴とする請求項５に記載の照明システム。
【請求項７】
前記照明ユニット及び前記短小照明ユニットが、各軸線を一列上に一致させて配置され、前記照明ユニット及び前記短小照明ユニットの各ＬＥＤ光源の幅中心間ピッチを一致させて配置したことを特徴とする照明システム。
【請求項８】
筐体内に耐浸性を保って蓄電池が収容された蓄電池ユニットにコネクタを介してケーブル接続される照明ユニットであって、
筒状のグローブ内に耐浸性を保ってグローブ幅略一杯に電源基板及び制御ユニットが横並びに収容され、ＬＥＤ光源が電源基板及び制御ユニットとオーバーラップして前記グローブの中央寄りに配置され、一方の端部から商用電源に接続されるケーブルが導出され、他方の端部から前記蓄電池ユニットにコネクタ接続されるケーブルが導出されていることを特徴とする照明ユニット。
【請求項９】
グローブ内に耐浸性を保ってＬＥＤ光源、電源基板及び制御ユニットが収容された照明ユニットにコネクタを介してケーブル接続される蓄電池ユニットであって、
筐体内にニッケル水素電池が耐浸性を保って収容され、筐体は通気フィルターを有した開口を備えていることを特徴とする蓄電池ユニット。
【発明の詳細な説明】
【技術分野】
【０００１】
本発明は、耐浸性を有する照明ユニット、蓄電池ユニット、当該照明ユニット及び蓄電池ユニットを備えた照明装置、及び、当該照明装置を用いた照明システムに関する。
【背景技術】
【０００２】
従来、両端が開放した筒状のグローブに、例えばＬＥＤ（Light Emitting Diode）光源などの光を放射する光源を含む光源ユニットを収め、グローブの両端部を閉塞した照明ユニットが知られている（例えば、特許文献１参照）。
【先行技術文献】
【特許文献】
【０００３】
【特許文献１】特開２０１０−１９８８２８号公報
【発明の概要】
【発明が解決しようとする課題】
【０００４】
ところで、共同溝、横断地下道、カルバート、ダム監査路、トンネル避難抗等では雨天時等に冠水する場合がある。そのため、冠水時に、照明ユニットが浸水によって故障するのを防止するために、共同溝等では、耐浸性を有する照明ユニットが用いられている。この種の照明ユニットは、一般的に商用電源から供給される電源により照明する。よって、停電時には、照明ユニットへの電源供給が停止し、共同溝、横断地下道、カルバート、ダム監査路、トンネル避難抗等の内部を照明することができなくなるという問題があった。
本発明は、上述した従来の技術が有する課題を解消し、耐浸性を有し、停電時点灯可能な照明装置、照明システム、照明ユニット、及び、蓄電池ユニットを提供することを目的とする。
【課題を解決するための手段】
【０００５】
上記目的を達成するために、本発明は、グローブ内に耐浸性を保ってＬＥＤ光源、電源基板及び制御ユニットが収容され、端部からケーブルが導出された照明ユニットと、筐体内に耐浸性を保って蓄電池が収容され、端部からケーブルが導出された蓄電池ユニットと、を備え、各ケーブル同士が各ユニットの外部で耐浸性を保ってコネクタ連結されていることを特徴とする照明装置を提供する。
【０００６】
また本発明は、上記照明装置において、前記照明ユニットは、前記グローブ内に電源基板及び制御ユニットが横並びに収容されていることを特徴とする。
【０００７】
また本発明は、上記照明装置において、前記ＬＥＤ光源は、前記電源基板及び前記制御ユニットとオーバーラップして前記グローブの中央寄りに配置されていることを特徴とする。
【０００８】
また本発明は、上記照明装置において、前記蓄電池はニッケル水素電池であり、前記筐体は通気フィルターを有する開口を備えていることを特徴とする。
【０００９】
また本発明は、上記照明ユニットであって、ＬＥＤ光源が前記グローブの中央寄りに配置された照明ユニットと、上記照明ユニットのグローブと同一径で、グローブ長が当該グローブよりも短い筒状の短小グローブ内に電源基板及び上記に記載のＬＥＤ光源と光源幅が略等しいＬＥＤ光源が配置された短小照明ユニットと、を備え、前記照明ユニットと前記短小照明ユニットとが、各ＬＥＤ光源の光源幅を揃えて配置されていることを特徴とする照明システムを提供する。
【００１０】
また本発明は、上記照明システムにおいて、前記照明ユニット及び前記短小照明ユニットが、各軸線を平行に配置され、前記照明ユニット及び前記短小照明ユニットの各ＬＥＤ光源の幅中心を略一列上に揃えて配置したことを特徴とする。
【００１１】
また本発明は、上記照明システムにおいて、前記照明ユニット及び前記短小照明ユニットが、各軸線を一列上に一致させて配置され、前記照明ユニット及び前記短小照明ユニットの各ＬＥＤ光源の幅中心間ピッチを一致させて配置したことを特徴とする。
【００１２】
また本発明は、筐体内に耐浸性を保って蓄電池が収容された蓄電池ユニットにコネクタを介してケーブル接続される照明ユニットであって、筒状のグローブ内に耐浸性を保ってグローブ幅略一杯に電源基板及び制御ユニットが横並びに収容され、ＬＥＤ光源が電源基板及び制御ユニットとオーバーラップして前記グローブの中央寄りに配置され、一方の端部から商用電源に接続されるケーブルが導出され、他方の端部から前記蓄電池ユニットにコネクタ接続されるケーブルが導出されていることを特徴とする照明ユニットを提供する。
【００１３】
また本発明は、グローブ内に耐浸性を保ってＬＥＤ光源、電源基板及び制御ユニットが収容された照明ユニットにコネクタを介してケーブル接続される蓄電池ユニットであって、筐体内にニッケル水素電池が耐浸性を保って収容され、筐体は通気フィルターを有した開口を備えていることを特徴とする蓄電池ユニットを提供する。
【発明の効果】
【００１４】
本発明によれば、耐浸性の照明ユニットと、耐浸性の蓄電池ユニットとを外部で耐浸性を保ってコネクタで連結したため、停電時等には、蓄電池ユニットから照明ユニットに電源を供給して停電時点灯させることができる。また、外部コネクタで照明ユニットと、蓄電池ユニットとを連結したため、耐浸性を失うことなく、蓄電池ユニットの交換を容易に行うことができる。
【図面の簡単な説明】
【００１５】
【図１】本発明の実施形態に係る照明装置を示す斜視図である。
【図２】照明装置の斜視図である。
【図３】照明装置の内部構造を示す図であり、（Ａ）は上面図、（Ｂ）は下面図である。
【図４】蓄電池ユニットの通気構造を示す断面図である。
【図５】コネクタの構成を示す図でり、（Ａ）は雄コネクタと雌コネクタとを接続する前の状態を示す断面図、（Ｂ）は雄コネクタと雌コネクタを接続した状態を示す断面図である。
【図６】照明システムのレイアウトを示す図であり、（Ａ）は各軸線を平行に配置した図、（Ｂ）は各軸線を一列上に一致させて配置した図である。
【図７】変形例の照明装置を示す平面図である。
【発明を実施するための形態】
【００１６】
以下、本発明の実施の形態を、図面を参照しながら説明する。
図１は、本発明を適用した実施形態に係る照明装置１０の全体構成を示す図であり、図２は、図１中の矢印方向から照明装置１０を視た斜視図である。照明装置１０は、図１及び図２に示すように、照明ユニット２０と、蓄電池ユニット５０とが、外部のコネクタ４０により連結されている。照明ユニット２０、及び、蓄電池ユニット５０は、水中への浸漬に対する保護がなされた防浸型の耐浸性を有するユニットであり、ＩＥＣ規格のＩＰ６７特性を満たす構成となっている。照明装置１０は、共同溝、横断地下道、カルバート、ダム監査路、トンネル避難抗等の内部を照明する保守・点検用の作業灯として好適に用いることができる。
【００１７】
照明ユニット２０は、筒状のグローブ１１を備え、このグローブ１１に後述する光源ユニット３０を収めて構成されている。グローブ１１は、透過性のある材料、例えば樹脂材を用いて、断面略円形状に形成されている。グローブ１１は、筒状の両端部が開放し、当該両端部が、閉塞部材１２に挿入されて閉封されている。なお、図示は、省略するが、グローブ１１の両端部の端縁と、閉塞部材１２との間は、シール構造によりシールされ、グローブ１１の開放した両端部からグローブ１１の内部に水が浸入するのが防止されている。これにより、照明ユニット２０が取り付けられる共同溝、横断地下道、カルバート、ダム監査路、トンネル避難抗等が雨天時に冠水した場合であっても、照明ユニット２０の内部に水が浸入するのを防止することができ、照明ユニット２０が浸水によって故障するのを防止することができる。閉塞部材１２は、例えば、アルミニウム合金を用いて、ダイキャストによって形成することができる。閉塞部材１２の外周の所定位置には、照明装置１０を設置面に取り付けるための取付脚１３が固定される台座部１４が一体に設けられる。
【００１８】
閉塞部材１２には、外側から板材１５がねじ止めされる。板材１５には、照明ユニット２０に電源を供給する配線が接続されるケーブルグランド１６が取り付けられる。ケーブルグランド１６は、照明装置１０のグローブ１１の両端部に取り付けられる。なお、板材１５は、図示は省略するが、光源ユニット３０をグローブ１１内に支持する支持体２４を閉塞部材１２にねじ止めするためのねじ孔を外側から塞ぐように構成されている。また、照明ユニット２０の一端部２０Ａ側の端面には、照明ユニット２０に蓄電池ユニット５０から電源を供給して点灯させることができるか否かを定期的に点検するための点検スイッチ１７が設けられている。
【００１９】
蓄電池ユニット５０は、筒状の筐体５１内に耐浸性を保って後述する蓄電池５５が収容されている。筐体５１は、例えば、アルミパイプを用いて、照明ユニット２０のグローブ１１と同一径の断面略円形状に形成されている。筐体５１は、アルミの他に、樹脂やアルミ以外の金属を用いて構成されていても良い。筐体５１は、筒状の両端部が開放し、当該両端部が、照明ユニット２０と共通部品の閉塞部材１２に挿入されて閉封されている。蓄電池ユニット５０も、照明ユニット２０と同様に、両端部の端縁と、閉塞部材１２との間は、シール構造によりシールされ、筐体５１の開放した両端部から筐体５１の内部に水が浸入するのが防止されている。これにより蓄電池ユニット５０が取り付けられる共同溝、横断地下道、カルバート、ダム監査路、トンネル避難抗等が雨天時に冠水した場合であっても、蓄電池ユニット５０の内部に水が浸入するのを防止することができ、蓄電池ユニット５０が浸水によって故障するのを防止することができる。
【００２０】
また、蓄電池ユニット５０は、一方側の閉塞部材１２に、外側から板材５２Ａがねじ止めされる。板材５２Ａには、蓄電池ユニット５０から照明ユニット２０に電源を供給するための配線が接続されるケーブルグランド１６が取り付けられる。蓄電池ユニット５０には、一方側に配線が接続されるが、両端部の閉塞部材１２を共通部品化したため、配線が接続されない他方側に取り付けられる閉塞部材１２にも同様に不図示の配線孔が設けられる。配線が接続されない他方側に取り付けられる閉塞部材１２には、閉塞部材１２に設けられた配線孔を外側から塞ぐように構成された板材５２Ｂが取り付けられる。板材５２Ａ，５２Ｂには、後述する通気フィルター５３、及び、通気フィルター５３の脱落を防止する脱落防止具５４が取り付けられる。
【００２１】
照明装置１０は、照明ユニット２０の一端部２０Ａ側から、照明ユニット２０に商用電源を供給する第１のケーブル６１が延出し、他端部２０Ｂ側から蓄電池ユニット５０に照明ユニット２０を連結する第２のケーブル６２が延出している。蓄電池ユニット５０からは、第３のケーブル６３が延出し、第２のケーブル６２と第３のケーブル６３とは、各ユニット２０，５０の外部でコネクタ４０により連結されている。なお、コネクタ４０は、詳細については後述するが、耐浸性を保って、第２のケーブル６２と第３のケーブル６３とを接続可能に構成されている。
【００２２】
図３は、照明装置１０の内部構成を示す図であり、図３（Ａ）は照明装置１０の内部構成を上面側から視た図、図３（Ｂ）は、照明装置１０の内部構成を下面側から視た図である。
照明ユニット２０は、グローブ１１内に、電源モジュール（電源基板）２１、制御ユニット２２、光源ユニット３０が支持体２４に支持されて収められている。電源モジュール２１は、図示は省略するが、コンデンサやトランジスタ等が実装された電源基板を備え、当該電源基板板がカバー２１Ａによって覆われている。制御ユニット２２は、電源モジュール２１及び蓄電池ユニット５０を制御する制御回路を備える。制御ユニット２２は、照明ユニット２０に、一端部２０Ａ側に連結された第１のケーブル６１を介して商用電源が供給されている際には、電源モジュール２１を制御して、商用電源により光源ユニット３０を駆動し、点灯する通常時点灯を行う。また、制御ユニット２２は、照明ユニット２０への商用電源の供給が停止したことを検出して、蓄電池ユニット５０及び電源モジュール２１を制御し、蓄電池ユニット５０から第３のケーブル６３及び第２のケーブル６２を介して照明ユニット２０に電源を供給させるとともに、電源モジュール２１を制御し、蓄電池ユニット５０から供給される電源により光源ユニット３０を点灯させる停電時点灯を行う。また、制御ユニット２２は、照明ユニット２０に商用電源が供給されている時には、蓄電池ユニット５０を制御して蓄電池ユニット５０の蓄電池５５に常に充電する。
【００２３】
支持体２４は、図示は省略するが、例えばアルミニウム等の高熱伝導性材料をプレス等で任意の形状に折り曲げて形成される。支持体２４は、上面が開口した上面開口中空部材であり、中空部には、支持体２４の長さ方向の３箇所に取付具２８が架け渡されて設けられる。電源モジュール２１、及び、制御ユニット２２は、取付具２８に取り付けられ、グローブ１１内に横並びに収容されるとともに、支持体２４の中空部に支持体２４と接触しないように収められる。取付具２８は、電源モジュール２１、及び、制御ユニット２２から支持体２４への伝熱を妨げる程度に熱抵抗が大きな材料、例えばステンレス等、で形成される。
【００２４】
支持体２４の底面は、断面略Ｖ字状に形成され、当該底面には、図３（Ｂ）に示すように、４つの光源ユニット３０が取り付けられている。光源ユニット３０は、エネルギーを受けて光を放射する光源を含むユニットであり、この光源としては、電球、蛍光灯、アーク灯、ＨＩＤランプ、発光ダイオード等を用いることができる。本実施形態では、光源ユニット３０は、省エネルギー、及び、長寿命であるＬＥＤ２７を光源として用いるＬＥＤ光源である場合を例に説明する。
光源ユニット３０は、ＬＥＤ基板２６と、このＬＥＤ基板２６に並べて複数実装されるＬＥＤ２７と、を備える。照明ユニット２０には、複数の光源ユニット３０を取り付けることができ、取り付ける光源ユニット３０の数は、照明ユニット２０に求められる明るさに応じて任意に変更可能に構成されている。複数の光源ユニット３０は、電源モジュール２１及び制御ユニット２２とオーバーラップしてグローブ１１の中央寄りに配置される。
【００２５】
また、支持体２４の底面には、照明ユニット２０の一端部２０Ａ側の近傍に充電モニター３１が取り付けられている。充電モニター３１は、例えば砲弾型ＬＥＤ等の発光体から成る発光部３２を有する。充電モニター３１は、蓄電池ユニット５０の蓄電池５５が充電中である旨を知らせるモニターであり、蓄電池５５の充電中は、発光部３２が発光するように構成されている。つまり、充電モニター３１の発光部３２は、照明ユニット２０に、第１のケーブル６１を介して商用電源から電源が供給され、当該商用電源により蓄電池５５が充電されているときに点灯するように構成されている。照明ユニット２０への商用電源からの電源の供給が停止した場合、及び／或いは、蓄電池５５が照明ユニット２０に接続されていない場合には、充電モニター３１の発光部３２は、消灯する。
【００２６】
上述した点検スイッチ１７が押下されている間は、商用電源から照明ユニット２０へ電源が供給される回路がオープンとなり、商用電源から照明ユニット２０への電源供給が停止される。照明装置１０の定期点検を行う際には、作業員は、点検スイッチ１７を押下することで、充電モニター３１の発光部３２が消灯し、且つ、照明ユニット２０の光源ユニット３０が点灯することを確認する。これにより、作業員は、商用電源からの照明ユニットへの電源供給が停止した際に、蓄電池ユニット５０から照明ユニット２０へ電源が供給されて、光源ユニット３０が点灯することを確認することができる。
【００２７】
蓄電池ユニット５０の筐体５１内には、蓄電池５５が収容されている。蓄電池５５は、本実施形態では、ニッケル水素電池である。蓄電池５５は、ニッケル水素電池の他に、ニッケルカドミウム電池、或いは、リチウムイオン電池である構成であっても良い。蓄電池ユニット５０は、蓄電池５５をニッケル水素電池である構成としたため、充電時に、電気分解によって水素ガスが生じる。蓄電池ユニット５０は、図４に示すように、筐体５１の両端に設けられた板材５２Ａ，５２Ｂに、蓄電池５５から発生した水素ガスを外部に排気するための通気孔（開口）５６を備える。通気孔５６には、通気フィルター５３が設けられている。
【００２８】
通気フィルター５３は、フィルターケース５７内部に不図示の通気膜を備える。フィルターケース５７は、板材５２Ａ，５２Ｂの通気孔５６に挿入可能な脚部５９を備え、脚部５９は、通気孔５６に挿入された際に、板材５２Ａ，５２Ｂの内側で、通気孔５６の縁に係合されるように構成されている。通気フィルター５３は、通気孔５６に脚部５９を挿入することで、ＩＰ６７特性を満たす構成である。蓄電池ユニット５０は、通気フィルター５３を板材５２Ａ，５２Ｂの通気孔５６に挿入することで、通気フィルター５３を介して、筐体５１内の内圧を調整することができるとともに、通気孔５６を介して蓄電池５５から発生した水素ガスを外部に排気するとともに、筐体５１の内部に水が浸入するのを防止することができる。
【００２９】
また、板材５２Ａ，５２Ｂには、通気フィルター５３を外側から覆う脱落防止具５４が取り付けられている。脱落防止具５４は、作業者等が通気フィルター５３にぶつかって、通気フィルター５３が破損するのを防止するとともに、通気フィルター５３が蓄電池ユニット５０から脱落するのを防止する。
なお、本実施形態では、蓄電池ユニット５０は、ケーブルグランド１６が取り付けられた板材５２Ａに、ケーブルグランド１６の上方に複数箇所、通気フィルター５３が取り付けられ、当該複数の通気フィルター５３が一枚の脱落防止具５４により覆われている。また、蓄電池ユニット５０の板材５２Ｂには、上下対称の複数箇所に通気フィルター５３が取り付けられ、上側に取り付けられた複数の通気フィルター５３を覆う脱落防止具５４と、下側に取り付けられた複数の通気フィルター５３を覆う脱落防止具５４との、２枚の脱落防止具５４により、複数の通気フィルター５３が覆われている。
【００３０】
図５は、コネクタ４０の構成を示す図である。コネクタ４０は、図５（Ａ）に示すように、第２のケーブル６２、第３のケーブル６３のいずれか一方のコネクタに接続された雄コネクタ４０Ａと、他方のコネクタに接続された雌コネクタ４０Ｂとから構成されている。雄コネクタ４０Ａは、例えば第２のケーブル６２の先端にケーブル固定リング４１、及び、嵌め込みリング４２により固定され、第２のケーブル６２の先端から延びる電線が雄型筒体８９内に引き込まれている。第２のケーブル６２と、ケーブル固定リング４１、嵌め込みリング４２、及び、雄型筒体８９との間には、パッキン４３が設けられ、当該パッキン４３により、第２のケーブル６２と、雄コネクタ４０Ａとの間の防水が保たれる。筒体８９内に引き込まれた電線は、雄接続ピン４４に接続される。雄接続ピン４４は、接続ピン支持部材４６により雄型筒体８９の内部に支持される。雄型筒体８９の先端には、雄コネクタ４０Ａを雌コネクタ４０Ｂに接続させる接続リング４７が設けられる。
【００３１】
雌コネクタ４０Ｂは、例えば第３ケーブル６３の先端にケーブル固定リング４１、及び、嵌め込みリング４２により固定され、第３のケーブル６３の先端から延びる電線が雌型筒体８８内に引き込まれている。第３のケーブル６３と、ケーブル固定リング４１、嵌め込みリング４２、及び、雌型筒体８８との間には、パッキン４３が設けられ、当該パッキン４３により、第３のケーブル６２と、雌コネクタ４０Ｂとの間の防水が保たれる。雌型筒体８８内に引き込まれた電線は、雌接続ピン４５に接続される。雌接続ピン４５は、接続ピン支持部材４６により雌型筒体８９の内部に支持される。
【００３２】
雄コネクタ４０Ａと、雌コネクタ４０Ｂとを接続する際には、図５（Ｂ）に示すように、雄コネクタ４０Ａの雄型筒体８９の先端を、雌コネクタ４０Ｂの雌型筒体８８の先端開口に挿入し、雄接続ピン４４を雌接続ピン４５に挿入して接続することで、第２のケーブル６２と第３のケーブル６３とを電気的に接続する。雌コネクタ４０Ｂの雌型筒体８８の先端外周、及び、雄型筒体８９の先端に設けられた接続リング４７の内周には、それぞれねじ山が切られ、雌型筒体８８の先端を、接続リング４７にねじ込むことで、雄コネクタ４０Ａと、雌コネクタ４０Ｂとが強固に接続される。
【００３３】
雄コネクタ４０Ａの接続リング４７の内側には、雌型筒体８８の先端が当接する位置には、パッキンの役割を果たすＯリング４８が設けられる。また、雌コネクタ４０Ｂの雄型筒体８９の外周には、接続リング４７の先端が当接する位置に、パッキンの役割を果たす平リング４９が設けられる。雄コネクタ４０Ａと、雌コネクタ４０Ｂと、を接続した際には、これらのＯリング４８と、平リング４９とにより、接続端面から水がコネクタ４０の内部に侵入するのを防ぐことができる。
【００３４】
これらの構成によれば、照明ユニット２０から延びる第２のケーブル６２と、蓄電池ユニット５０から延びる第３のケーブル６３と、を各ユニットの外部で耐浸性を保ってコネクタ接続することができる。また、コネクタ４０は、雄コネクタ４０Ａと、雌コネクタ４０Ｂと、を容易に取り外して、接続を切り離すことができ、蓄電池ユニット５０を交換する際には、コネクタ４０により蓄電池ユニット５０とを照明ユニット２０から取り外して丸ごと交換することで、簡単に耐浸性を保って、蓄電池ユニット５０の交換を行うことができる。
【００３５】
このように、耐浸性のコネクタ４０で、照明ユニット２０と、蓄電池ユニット５０とを、各ユニットの外部で連結したため、蓄電池ユニット５０の交換を含む照明装置１０のメンテナンス時には、コネクタ４０で、照明ユニット２０と、蓄電池ユニット５０とを切り離すことができる。照明ユニット２０に比べて寿命の短い蓄電池ユニット５０を交換する際には、蓄電池ユニット５０を丸ごと交換し、新しい蓄電池ユニット５０を照明ユニット２０にコネクタ４０で連結することで、照明装置１０の耐浸性を確実に確保することができる。これにより、照明ユニット２０及び蓄電池ユニット５０の耐浸性を確実に確保して、照明装置１０のメンテナンスを行うことができる。
【００３６】
図６は、照明装置１０と、短小照明ユニット７０とから成る照明システム８０を示す図である。
短小照明ユニット７０は、照明ユニット２０のグローブ１１と同一径で、グローブ長がグローブ１１よりも短い筒状の短小グローブ７１を備えている。図示は省略するが、短小グローブ７１内には、電源モジュールと、照明ユニット２０の光源ユニット３０の光源と光源幅Ｗが等しい光源ユニットと、が収められている。照明システム８０は、図６（Ａ）に示すように、照明ユニット２０と、短小照明ユニット７０とが、各光源ユニットの光源幅Ｗを揃えて、各軸線を平行に配置され、取付脚１３により、共同溝、横断地下道、カルバート、ダム監査路、トンネル避難抗等の天井に取り付けられて、構成される。つまり、照明ユニット２０と、短小照明ユニット７０とは、照明ユニット２０及び短小照明ユニット７０の各光源ユニットの幅中心を略一列上に揃えて配置される。この構成によれば、短小照明ユニット７０と、照明装置１０とを各軸線を並行に配置しても、光源ユニットの光源幅を合わせて、所要の配光を容易に構成することができる。
【００３７】
なお、照明ユニット２０は、短小照明ユニット７０に一灯間隔で配置される構成であってもよいし、複数灯間隔で配置される構成であっても良い。また、複数灯の照明ユニット２０の間に、短小照明ユニット７０を配置する構成であっても良い。また、照明システム８０を、全て照明ユニット２０により構成する構成であっても良い。また、照明装置１０は、蓄電池ユニット５０が天井に取り付けられる構成の他に、図示は省略するが、蓄電池ユニット５０が壁面に取り付けられる構成であっても良い。また、蓄電池ユニット５０は、照明ユニット２０と同一軸線上に配置される構成の他に、ケーブル６１，６２，６３がフレキシブルケーブルにより構成され、照明ユニット２０に対して、例えば９０度、曲げた位置に配置する構成であっても良い。また、蓄電池ユニット５０を、照明ユニット２０と、短小照明ユニット７０との間に、軸線を平行に配置する構成であっても良い。
【００３８】
また、照明システム８０は、図６（Ｂ）に示すように、照明ユニット２０と、短小照明ユニット７０とが、各軸線を一列上に一致させて配置されている構成であってもよい。照明ユニット２０と、短小照明ユニット７０とを、各軸線を一列上に一致させて配置した場合には、照明ユニット２０と短小照明ユニット７０の各光源ユニットの幅中心間のピッチは、一致させて配置される。
【００３９】
なお、本実施形態では、グローブ１１が断面略円形状に形成されている構成について説明したが、グローブ１１の断面形状は、円形状に限らず、例えば、半円形状や矩形形状である構成であっても良い。
また、停電時における照明装置１０の明るさや点灯時間の長さ等に応じて、蓄電池ユニット５０の長さを適宜変更することで調整可能であり、本願発明の照明システムの特徴を確保したまま対応が可能である。
【００４０】
以上説明したように、本発明を適用した実施形態によれば、グローブ１１内に耐浸性を保って光源ユニット３０、電源モジュール２１、及び、制御ユニット２２が収容され、端部２０Ａ，２０Ｂからケーブル６１，６２が導出された照明ユニット２０と、筐体５１内に耐浸性を保って蓄電池５５が収容され、端部からケーブル６３が導出された蓄電池ユニット５０と、を備え、各ケーブル６２，６３同士が各ユニット２０，５０の外部で耐浸性を保ってコネクタ４０により連結されている。この構成によれば、停電時等で商用電源の供給が停止した際には、蓄電池ユニット５０の蓄電池５５から照明ユニット２０に電源を供給して停電時点灯させることができる。また、耐浸性を保って外部のコネクタ４０で照明ユニット２０と、蓄電池ユニット５０とを連結したため、蓄電池ユニット５０の交換を行う際には、コネクタ４０を外して、蓄電池ユニット５０を丸ごと交換することで、照明装置１０の耐浸性を失うことなく、容易に蓄電池ユニット５０の交換を行うことができる。
【００４１】
また、本発明を適用した実施形態によれば、照明ユニット２０は、グローブ１１内に電源モジュール２１及び制御ユニット２２が横並びに収容されている。この構成によれば、グローブ１１の径を大きくすることなく、グローブ１１内に電源モジュール２１及び制御ユニット２２を収容することができる。
【００４２】
また、本発明を適用した実施形態によれば、光源ユニット３０は、電源モジュール２１及び制御ユニット２２とオーバーラップしてグローブ１１の中央寄りに配置されている。この構成によれば、光源ユニット３０がグローブ１１の中央寄りに配置されるため、照明ユニット２０に求められる明るさに応じて取り付ける光源ユニット３０の数を任意に変更しても、グローブ１１の中央を照明ユニット２０の配光の中心として照明ユニット２０を配置することで、所要の配光を容易に得ることができる。
【００４３】
また、本発明を適用した実施形態によれば、蓄電池５５はニッケル水素電池であり、筐体５１は通気フィルター５３を有する開口５６を備えている。この構成によれば、ニッケル水素電池である蓄電池５５の充電時に、電気分解によって生じた水素ガスを通気フィルター５３を介して筐体５１の外部に排気することができ、筐体５１内の内圧を調整することができる。
【００４４】
また、本発明を適用した実施形態によれば、光源ユニット３０がグローブ１１の中央寄りに配置された照明ユニット２０と、グローブ１１と同一径で、グローブ長が当該グローブ１１よりも短い筒状の短小グローブ７１内に電源モジュール及び光源ユニット３０と光源幅Ｗが略等しい光源（図示略）が配置された短小照明ユニット７０と、を備え、照明ユニット２０と短小照明ユニット７０とが、各光源ユニットの光源幅Ｗを揃えて配置されている。この構成によれば、照明ユニット２０のグローブ１１と、短小照明ユニット７０の短小グローブ７１とが同一径であるため、照明ユニット２０、及び、短小照明ユニット７０を共同溝、横断地下道、カルバート、ダム監査路、トンネル避難抗等に取り付けた際に、天井からの高さを同じにすることができる。また、照明ユニット２０と、短小照明ユニット７０との光源幅Ｗを揃えて配置したため、照明ユニット２０と短小照明ユニット７０との、グローブの長さが異なっていても、略同じ配光を得ることができ、所要の配光を容易に形成することができる。
【００４５】
また、本発明を適用した実施形態によれば、照明ユニット２０及び短小照明ユニット７０が、各軸線を平行に配置され、照明ユニット２０及び短小照明ユニット７０の各光源ユニットの幅中心を略一列上に揃えて配置した。この構成によれば、通常時点灯と停電時点灯とを行うことができる照明ユニット２０と、通常時点灯を行う短小照明ユニット７０と、を各軸線を平行に光源ユニットの幅中心を略一列上に揃えて配置したため、通常時点灯を行っている際には、照明ユニット２０と、短小照明ユニット７０とから略同一の配光を得ることができ、グローブ長の異なる照明ユニット２０と短小照明ユニット７０とを並べて、所要の配光を容易に得ることができる。
【００４６】
また、本発明を適用した実施形態によれば、照明ユニット２０及び短小照明ユニット７０が、各軸線を一列上に一致させて配置され、照明ユニット２０及び短小照明ユニット７０の各光源ユニットの幅中心間ピッチＰを一致させて配置した。この構成によれば、通常時点灯と停電時点灯とを行うことができる照明ユニット２０と、通常時点灯を行う短小照明ユニット７０と、を各軸線を一列上に一致させるとともに、各光源ユニットの幅中心間ピッチＰを一致させて配置したため、通常時点灯を行っている際には、照明ユニット２０と、短小照明ユニット７０とから略同一の配光を得ることができ、グローブ長の異なる照明ユニット２０と短小照明ユニット７０とを並べて、所要の配光を容易に得ることができる。
【００４７】
また、本発明を適用した実施形態によれば、筐体５１内に耐浸性を保って蓄電池５５が収容された蓄電池ユニット５０にコネクタ４０を介してケーブル接続される照明ユニット２０であって、筒状のグローブ１１内に耐浸性を保ってグローブ幅略一杯に電源モジュール２１及び制御ユニット２２が横並びに収容され、光源ユニット３０が電源モジュール２１及び制御ユニット２２とオーバーラップしてグローブ１１の中央寄りに配置され、一端部２０Ａ側から商用電源に接続されるケーブル６１が導出され、他端部２０Ｂ側から蓄電池ユニット５０にコネクタ接続されるケーブル６２が導出されている。この構成によれば、耐浸性を有する照明ユニット２０への商用電源からの電源供給が停止した場合でも、蓄電池ユニット５０から電源を供給して照明ユニット２０を停電時点灯させることができる。
【００４８】
また、本発明を適用した実施形態によれば、グローブ１１内に耐浸性を保って光源ユニット３０、電源モジュール２１及び制御ユニット２２が収容された照明ユニット２０にコネクタ４０を介してケーブル接続される蓄電池ユニット５０であって、筐体５１内にニッケル水素電池が耐浸性を保って収容され、筐体は通気フィルターを有した開口を備えている。この構成によれば、蓄電池ユニット５０の耐浸性を保って、開口５６から、通気フィルター５３を介して、蓄電池５５の充電時に電気分解によって生じた水素ガスを筐体５１の外部に排気することができ、筐体５１内の内圧を調整することができる。
【００４９】
なお、照明装置１０は、グローブ１１内に電源モジュール２１と、制御ユニット２２とを、横並びに収容した照明ユニット２０を備える構成としたが、これに限らず、制御ユニット２２が照明ユニット２０とは別体に備えられる構成であっても良い。
図７は、制御ユニット１２２が照明ユニット１２０とは別体に備えられ照明装置１１０を示す図である。制御ユニット１２２は、照明ユニット１２０とは別体に備えられたケース１１１内に収容されている。なお、図７に示した照明装置１１０において、上述した照明装置１０と同一の構成については、同一の符号を付し、その説明を省略する。
【００５０】
照明装置１１０は、蓄電池ユニット５０と、照明ユニット１２０と、制御ユニット１２２とが、各ユニットの端部から導出されたケーブルを外部で耐浸性を保ってコネクタ連結して構成されている。図示は省略するが、照明ユニット１２０には、グローブ１２１内に耐浸性を保って光源ユニット及び電源モジュール１２３が収容されている。また、制御ユニット１２２には、ケース１１１内に耐浸性を保って制御部１２４が収容されている。蓄電池ユニット５０の筐体５１と、照明ユニット１２０のグローブ１２１と、制御ユニット１２２のケース１１１とは、断面外形形状が円形状の同一径に形成されている。なお、蓄電池ユニット５０の筐体５１と、照明ユニット１２０のグローブ１２１と、制御ユニット１２２のケース１１１とは、外形は同一径であるが、それぞれの肉厚は異なるものであっても良い。
【００５１】
各ユニットの端部には、ケーブルグランド１６が取り付けられている。照明装置１１０は、制御ユニット１２２の一端部１２２Ａ側から、照明装置１１０に商用電源を供給する第１のケーブル１６１が延出し、他端部１２２Ｂ側から照明ユニット１２０に制御ユニット１２２を連結する第２のケーブル１６２が延出している。照明ユニット１２０の一端部１２０Ａ側からは、第３のケーブル１６３が延出し、第２のケーブル１６２と、第３のケーブル１６３とは、各ユニット１２２，１２０の外部でコネクタ４０により連結されている。
また、照明ユニット１２０の他端部１２０Ｂ側からは、照明ユニット１２０に蓄電池ユニット５０を連結する第４のケーブル１６４が延出し、第４のケーブル１６４は、蓄電池ユニット５０から延出する第５のケーブル１６５に、各ユニット１２０，５０の外部でコネクタ４０により連結されている。
【００５２】
制御ユニット１２２の一端部１２２Ａには、点検スイッチ１７が設けられている。制御ユニット１２２は、ケース１１１内に収容した不図示の制御部の機能により、制御ユニット１２２の一端部１２２Ａ側に連結された第１のケーブル１６１を介して商用電源が供給されている際には、照明ユニット１２０を商用電源により点灯する通常時点灯を行う。また、制御ユニット１２２は、商用電源の供給が停止したことを検出して、蓄電池ユニット５０及び照明ユニット１２０を制御し、蓄電池ユニット５０から照明ユニット１２０に電源を供給させて、蓄電池ユニット５０から供給される電源により照明ユニット１２０を点灯させる。また、制御ユニット１２２は、商用電源が供給されている際には、蓄電池ユニット５０を制御して蓄電池ユニット５０に収容された蓄電池に常に充電する。
【符号の説明】
【００５３】
１０  照明装置
１１  グローブ
２０  照明ユニット
２０Ａ  一端部（一方の端部）
２０Ｂ  他端部（他方の端部）
２１  電源モジュール(電源基板)
２２  制御ユニット
３０  光源ユニット（ＬＥＤ光源）
５０  蓄電池ユニット
５１  筐体
５３  通気フィルター
５５  蓄電池
５６  通気孔（開口）
６１  第１のケーブル（ケーブル）
６２  第２のケーブル（ケーブル）
６３  第３のケーブル（ケーブル）
７０  短小照明ユニット
７１  短小グローブ
８０  照明システム
Ｐ  幅中心間ピッチ
Ｗ  光源幅
【図１】
2014116135.tif 000003
【図２】
2014116135.tif 000004
【図３】
2014116135.tif 000005
【図４】
2014116135.tif 000006
【図５】
2014116135.tif 000007
【図６】
2014116135.tif 000008
【図７】
2014116135.tif 000009